(57)【要約】【課題】天井パネルの立ち上がり時間の短縮と不快な気流をなくし、快適性を向上した放射冷暖房装置を提供すること。【解決手段】立ち上がり時室内温度と天井面温度を自動で検出し、室内温度と天井面温度の両方の温度が快適温度に到達していなければ、室内空調用空調機１と放射空調用空調機２の併用運転で対流と放射で一気に室内は空調され、快適な室温に到達すれば室内空調用空調機１は停止し、あとは放射空調用空調機２だけで室温を維持する運転に自動的に切り替えられる。室内空調用空調機１を停止し、放射空調用空調機２に切り替えた時、天井パネル４が十分冷暖房されていなければ、冷暖房されるまでの間に室温は低下または上昇するが、併用運転の場合、切り替え時の室温変化はほとんどないため、さらに快適な居住空間に到達するまでの時間が短縮され、利便性・操作性・快適性も向上する。【選択図】図１
2008020128.tif 000002
【特許請求の範囲】
【請求項１】
室内空調が可能な室内空調手段と、放射空調が可能な放射空調手段と、前記室内空調手段と前記放射空調手段を切り替え可能な切り替え手段を備えた空調システム。
【請求項２】
室内温度検出手段を有し、前記室内温度検出手段で検出された室内温度に基づき室内空調手段と放射空調手段を自動的に切り替え可能にする切り替え手段を備えたことを特徴とした請求項１に記載の空調システム。
【請求項３】
天井温度検出手段及び室内温度検出手段を有し、前記天井温度検出手段で検出された天井温度と前記室内温度検出手段で検出された室内温度とに基づき、室内空調手段と放射空調手段、または前記室内空調手段と前記放射空調手段の両方のいずれかを自動的に切り替える切り替え手段を備えたことを特徴とした請求項１または２に記載の空調システム。
【発明の詳細な説明】
【技術分野】
【０００１】
本発明は、放射パネル面を冷却または加熱して室内の冷暖房を行なう空調システムに関するものである。
【背景技術】
【０００２】
従来、この種の空調システムは、天井裏空間に対流式の空調機を設置し、天井裏空間を空調しながら天井面を冷暖房し、一部の空気を室内へ供給し、一部空気の対流と天井面の放射で室内を空調させるといったものが考案されている（特許文献１参照）。
【０００３】
図２は特許文献１に記載された空調システムの構成を示すものである。図２に示すように、天井裏空間１０に設けられた空調機２０によって冷暖房された天井裏空間１０の空気は天井裏空間１０を循環しながら、一部の空気は天井面３０に設けられた小孔４０から室内５０へ供給されて冷暖房される。また、天井裏空間１０を冷暖房することで天井面３０も冷暖房され、室内５０は天井面３０の放射によっても冷暖房されるようになっている。
【特許文献１】特開平６−１７４２６１号公報
【発明の開示】
【発明が解決しようとする課題】
【０００４】
しかしながら、前記従来の構成では、天井面に小孔が開いているだけでは天井裏空間と室内の圧力差がほとんどないため、天井裏空間の空気を室内へ供給し、対流による空調をするほどの空気風量は得られないことや、天井裏空間と室内の温度差による室内空調も、対流による空調をするほどの空気風量は得られないため、対流と放射による室内空調時間の短縮はほとんど得られず、快適性も得られないといった問題があった。
【０００５】
本発明は、前記従来の課題を解決するもので、冷暖房時間が短時間でできない問題や快適性が低下する問題も防止することができる空調システムを提供することを目的とする。
【課題を解決するための手段】
【０００６】
前記従来の課題を解決するために、本発明の空調システムは、室内空調が可能な室内空調手段と、放射空調が可能な放射空調手段と、前記室内空調手段と前記放射空調手段を切り替え可能な切り替え手段を備えたものである。
【０００７】
これによって、冷暖房が必要な時は、たとえばダクトエアコンのように対流方式で一気に室内空調し、快適温度の到達し室内空調が安定したら、次に室内空調手段と放射空調手段を切り替え可能な空調切り替え操作手段により、放射空調に切り替えて、無気流空調で室内を空調し、室温を維持することで、立ち上がりは短時間で室内空調ができ、快適な温度になれば後は放射空調で無気流の快適な室内空調ができる。
【０００８】
また、本発明の空調システムは、室内温度検出手段を有し、前記室内温度検出手段で検出された室内温度に基づき室内空調手段と放射空調手段を自動的に切り替え可能にする切り替え手段を備えたことを特徴とした空調システムである。これにより部屋に人がいない場合または人が操作しなくても室内温度を自動で検出し、快適な温度に到達すればタイミングよく、室内空調から放射空調へ自動で切り替え操作ができるようにしたものでさらに利便性・操作性が向上する。
【０００９】
また、天井温度検出手段及び室内温度検出手段を有し、前記天井温度検出手段で検出された天井温度と前記室内温度検出手段で検出された室内温度とに基づき、室内空調手段と
放射空調手段、または前記室内空調手段と前記放射空調手段の両方のいずれかを自動的に切り替える切り替え手段を備えたことを特徴とした空調システムである。
【００１０】
これにより部屋に人がいない場合または人が操作しなくても室内温度と天井面温度を自動で検出し、室内温度と天井面温度の両方の温度が快適温度に到達していなければ、室内空調と放射空調の併用運転で一気に空調され、快適な室温に到達すれば室内空調は停止し、あとは放射空調だけで室温を維持する運転に自動的に調整される。これにより快適な居住空間に到達するまでの時間が短縮され、さらに利便性・操作性・快適性が向上する。
【発明の効果】
【００１１】
本発明の空調システムは、従来よりも立ち上がり時間が早く、短時間で無気流の快適な居住空間にすることができる。
【発明を実施するための最良の形態】
【００１２】
第１の発明は、室内空調が可能な室内空調手段と、放射空調が可能な放射空調手段と、前記室内空調手段と前記放射空調手段を切り替え可能な切り替え手段を備えることにより、冷暖房が必要な時は、たとえばダクトエアコンのように対流方式で一気に室内空調し、快適温度の到達し室内空調が安定したら、放射空調に切り替えて、無気流空調で室内を空調し、室温を維持することで、立ち上がりは短時間で室内空調ができ、快適な温度になれば後は放射空調で無気流の快適な室内空調ができる。
【００１３】
第２の発明は、室内温度検出手段を有し、前記室内温度検出手段で検出された室内温度に基づき室内空調手段と放射空調手段を自動的に切り替え可能にする切り替え手段を備えることにより、部屋に人がいない場合または人が操作しなくても室内温度を自動で検出し、快適な温度に到達すればタイミングよく、室内空調から放射空調へ自動で切り替え操作ができるようにしたものでさらに利便性・操作性が向上する。
【００１４】
第３の発明は、天井温度検出手段及び室内温度検出手段を有し、前記天井温度検出手段で検出された天井温度と前記室内温度検出手段で検出された室内温度とに基づき、室内空調手段と放射空調手段、または前記室内空調手段と前記放射空調手段の両方のいずれかを自動的に切り替える切り替え手段を備えることにより、部屋に人がいない場合または人が操作しなくても室内温度と天井面温度を自動で検出し、室内温度と天井面温度の両方の温度が快適温度に到達していなければ、室内空調と放射空調の併用運転で一気に空調され、快適な室温に到達すれば室内空調は停止し、あとは放射空調だけで室温を維持する運転に自動的に調整される。これにより快適な居住空間に到達するまでの時間が短縮され、さらに利便性・操作性・快適性が向上する。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空調システムの断面図を示すものである。
【００１７】
図１において、１は室内空調用空調機であり、２は放射空調用空調機、３は室内吹出し口、４は放射パネル、５は放射パネル用流路、６は室内温度検出手段、７は天井温度検出手段、８は切り替え手段である。
【００１８】
以上のように構成された空調システムについて、以下その動作、作用を説明する。
【００１９】
まず、立ち上がり時は最初、室内空調用空調機１を運転し、冷暖房された空気を室内吹
出し口３から室内に一気に吹出して冷暖房する。室温が快適温度に到達して安定したら、次に切り替え手段８によって室内空調用空調機用空調機１を止めて放射空調用空調機２を運転し、放射パネル用流路５に冷暖房空気を送り循環させて、放射パネル４を冷暖房し、放射パネル４の放射により室内を冷暖房する。このようにすることで従来よりも室内の立ち上がり時間は短縮できる。
【００２０】
また、切り替え手段８は、室内温度検出手段６で検出された室内温度に基づき室内空調用空調機１と放射空調用空調機２を自動的に切り替え可能としてもよい。
【００２１】
まず、立ち上がり時は最初、室内空調用空調機１を運転し、冷暖房された空気を室内吹出し口３から室内に一気に吹出して冷暖房する。室温室内温度検出手段６で検出された室内温度が快適温度に到達して安定したら、切り替え手段８によって自動で室内空調用空調機用１を止めて放射空調用空調機２を運転し、放射パネル用流路５に冷暖房空気を送り循環させて、放射パネル４を冷暖房し、放射パネル４の放射により室内を冷暖房する。部屋に人がいない場合または人が操作しなくても室内温度を自動で検出し、快適な温度に到達すればタイミングよく、室内空調から放射空調へ自動で切り替え操作ができるようにしたものでさらに利便性・操作性が向上する
また、切り替え手段８は、天井温度検出手段７で検出された天井温度と室内温度検出手段６で検出された室内温度とに基づき、室内空調用空調機１と放射空調用空調機２、または室内空調用空調機１と放射空調用空調機２の両方のいずれかを自動的に切り替え可能としてもよい。
【００２２】
まず、立ち上がり時、室内温度検出手段６及び天井温度検出手段７によって、室内温度と天井面温度を自動で検出し、室内温度と天井面温度の両方の温度が快適温度に到達していなければ、室内空調用空調機１と放射空調用空調機２の併用運転で対流と放射で一気に室内は空調され、快適な温度に到達するまで運転し、快適な室温に到達すれば室内空調用空調機１は停止し、あとは放射空調用空調機２だけで室温を維持する運転に自動的に切り替えられる。この室内空調用空調機１を停止し、放射空調用空調機２に切り替えた時天井パネル４が十分冷暖房されていなければ、冷暖房されるまでの間に室温は低下または上昇するが、併用運転の場合、切り替え時の室温変化はほとんどないため、さらに快適な居住空間に到達するまでの時間が短縮され、利便性・操作性・快適性も向上する。
【産業上の利用可能性】
【００２３】
以上のように、本発明にかかる空調システムは天井放射パネルの立ち上がり時間が短時間で尚且つ人に気流が当たらない無気流の空調であるため、一般家庭以外にも病院・学校・図書館等の用途にも適用できる。
【図面の簡単な説明】
【００２４】
【図１】本発明の実施の形態１における空調システムの天井部断面図
【図２】従来の空調システムの天井部断面図
【符号の説明】
【００２５】
１  室内空調用空調機
２  放射空調用空調機
３  室内吹き出し口
４  放射パネル
５  放射パネル用流路
６  室内温度検出手段
７  天井温度検出手段
８  切り替え手段
１０  天井裏空間
２０  空調機
３０  天井面
４０  小孔
５０  室内
【図１】
2008020128.tif 000003
【図２】
2008020128.tif 000004